(57)【要約】      （修正有）【課題】川の流れを利用してそれ自体が推進力を持って川を横断する方向に推進する、水馬（あめんぼ）のような動きをする新規な魚釣り用の浮子（「あめんぼ浮子」と名付ける。）を提供する。【解決手段】あめんぼ浮子は、魚釣りに用いられる浮きであって、棒状の軸体（１）と、この軸体を貫通して前記軸体の略１／４乃至１／３の位置に固定される１個の浮力体（２）を備えてなり、前記浮力体はその底面が三角形であると共に側面及び前記三角形の底面を貫通する少なくとも２つの貫通孔（３，４）を設けてなる。【選択図】図１
0003114258.tif 000002
【実用新案登録請求の範囲】
【請求項１】
魚釣りに用いられる浮きであって、棒状の軸体（１）と、この軸体を貫通して前記軸体の略１／４乃至１／３の位置に固定される１個の浮力体（２）を備えてなり、前記浮力体はその底面が三角形であると共に側面及び前記三角形の底面を貫通する少なくとも２つの貫通孔（３，４）を設けてなることを特徴とするあめんぼ浮子（１０）。
【請求項２】
魚釣りに用いられる浮きであって、一端に舟頭部（５）を設けた左右対称の浮力体を備え、その上面（６）は略平坦であり、側面（７ａ，７ｂ）は他端に近づくほど扁平な断面を持つ水流受け部が設けられ、側面部に貫通孔（８）が設けられ、船尾に水平なフィン（９）が設けられてなることを特徴とするあめんぼ浮子（３０）。
【考案の詳細な説明】
【技術分野】
【０００１】
本考案は、主として川釣りなど比較的流れの速い釣り場で用いられる魚釣り用の浮子に関するものである。
【背景技術】
【０００２】
魚釣り用の浮子（うき）といえば、その目的或いは用途に応じて様々な形状・材質のものが存在する。
【０００３】
従来の浮子はいずれも流れに流されることを前提とするもので、通常はそれ自体が推進力を持たない。このため、通常の浮子は急流では殆ど浮子は役に立たたなかった。また、電池とモータなどによって推進手段を搭載するという技術的思想は知られているが、構造が複雑でコストもかかり、実用性が低かった。
【０００４】
【特許文献１】特開２０００−０６０３８３号公報
【考案の開示】
【考案が解決しようとする課題】
【０００５】
本考案は、川の流れを利用してそれ自体が推進力を持って川を横断する方向に推進する、水馬（あめんぼ）のような動きをする新規な魚釣り用の浮子（本明細書ではこれを「あめんぼ浮子」と名付ける。）を提供することを目的とする。
【課題を解決するための手段】
【０００６】
本考案に係る第１のあめんぼ浮子１０は、棒状の軸体１と、この軸体を貫通して前記軸体の略１／４乃至１／３の位置に固定される１個の浮力体２を備えてなり、前記浮力体はその底面が三角形であると共に側面及び前記三角形の底面を貫通する少なくとも２つの貫通孔３，４を設けてなることを特徴とする。
【０００７】
この貫通孔３，４はいずれも釣り糸を通してあめんぼ浮子を固定するためのものである。こように浮力体の底面を三角形にすると水流抵抗が発生し、釣り糸の張力が増大する。その結果、川の流れを推進力に変えて川岸を横切る方向に進み始める。
【０００８】
本考案に係る第２のあめんぼ浮子３０は、一端に舟頭部５を設けた左右対称の浮力体であって、上面６は略平坦であり、側面７ａ，７ｂは他端（これを便宜上「船尾」という。）に近づくほど扁平な断面を持つ水流受け部が設けられ、側面部に貫通孔８が設けられ、船尾に水平なフィン９が設けられてなることを特徴とする。
【考案の効果】
【０００９】
上記構成によれば、あめんぼ浮子の後方側に水流抵抗が発生するため釣り糸の張力が増大し、岸から約３０度乃至５０度の角度を維持し、まるであめんぼが水面を舞うような動きをする。
【考案を実施するための最良の形態】
【００１０】
（第１の実施形態）
図１は、本考案に係る魚釣り用浮子１０の第１の実施形態について説明するための図である。図１（ａ）は浮子１０の平面図を、（ｂ）は底面図を、（ｃ）は（ａ）におけるＡ−Ａ線断面図をそれぞれ表している。
【００１１】
この図に示すように、あめんぼ浮子１０は、棒状の軸体１と、この軸体を貫通して前記軸体の略１／４乃至１／３の位置に固定される１個の浮力体２を備えてなる。
【００１２】
この浮力体２はその底面が三角形であると共に側面及び三角形の底面を貫通する少なくとも２つの貫通孔３，４が設けられている。この貫通孔３，４はいずれも釣り糸を通してあめんぼ浮子を固定するためのものであり、その先に仕掛けを取付けるようになっている。
【００１３】
図２は、このあめんぼ浮子の使用状態を説明するための図である。竿２０に釣り糸２１を取り付け、その先にあめんぼ浮子１０を取付ける。さらにその先におもりやハリス、餌などの仕掛け２２を取付けて使用する。
【００１４】
図２における矢印イは川の流れ方向を示している。通常、このように流れの速い場所に浮子を投げ込むと直ちに急流によって下流方向へ流されてしまう。ところが、本考案に係るあめんぼ浮子は、水の流れを図中の矢印ロの方向に向かう推進力に変えて川岸から約３０°乃至５０°程度の角度を維持しようとする。
【００１５】
このあめんぼ浮子は竿を操ることでまるであめんぼが水面を舞うような動きをする。
【００１６】
（第２の実施形態）
図３は、本考案に係る魚釣り用浮子の第２の実施形態について説明するための図である。図１（ａ）は浮子３０の平面図を、（ｂ）は側面図を、（ｃ）は底面図をそれぞれ表している。
【００１７】
この図に示すように、あめんぼ浮子３０は、一端に舟頭部５を設けた左右対称の浮力体であって、上面６は略平坦であり、側面７ａ，７ｂは他端（これを便宜上「船尾」という。）に近づくほど扁平な断面を持つ水流受け部が設けられている。そして側面部に貫通孔８が設けられ、船尾に水平なフィン９が設けられてなる。
【００１８】
先頭部５を川上側に向くようにすると先頭部５において水流を受けとめ、側面７ａ，７ｂがこれを受け流すことによって、貫通孔８に繋がれた釣り糸の張力が増大する。船尾のフィン９は船頭部５が上を向かないように姿勢を維持させる働きをする。側面部は船尾に近づくにつれて扁平であるため、水流に対してある角度で、水流から受ける力と張力とがちょうどつり合って、その角度を保持する。
【００１９】
その結果、このあめんぼ浮子３０は川岸から約３０°乃至５０°程度の角度に移動し、その位置で静止する。実際には水の流れには変化があるので、竿を操るとまるであめんぼが水面を舞うような動きをする。
【００２０】
この第２のあめんぼ浮子の使用方法は第１のあめんぼ浮子と同じであるため、図２において第１のあめんぼ浮子についてした説明を援用する。
【産業上の利用可能性】
【００２１】
本考案に係るあめんぼ浮子は急流の釣り場でも浮き釣りが可能となり、従来にはない新しい釣りができるようになる。また、構造がとても簡単であるため製造が容易であり、コスト的にも有利である。従って、新しい釣り用品を提供するものとして、産業上の利用可能性は大きい。
【図面の簡単な説明】
【００２２】
【図１】図１は、本考案に係る魚釣り用浮子１０の第１の実施形態について説明するための図である。図１（ａ）は浮子１０の平面図を、（ｂ）は底面図を、（ｃ）は（ａ）におけるＡ−Ａ線断面図をそれぞれ表している。
【図２】図２は、このあめんぼ浮子の使用状態を説明するための図である。
【図３】図３は、本考案に係る魚釣り用浮子の第２の実施形態について説明するための図である。図１（ａ）は浮子３０の平面図を、（ｂ）は側面図を、（ｃ）は底面図をそれぞれ表している。
【符号の説明】
【００２３】
１  軸体
２  浮力体
３、４  貫通孔
５  船頭部
６  上面
７ａ，７ｂ  側面
８  貫通孔
９  フィン
１０  第１のあめんぼ浮子
２０  竿
２１  釣り糸
２２  仕掛け
【図１】
0003114258.tif 000003
【図２】
0003114258.tif 000004
【図３】
0003114258.tif 000005